(57)【特許請求の範囲】
【請求項１】
用紙を積載する用紙積載手段と、
該用紙積載手段の上方に配設され用紙搬送方向に間隔をおいて互いに平行に配設された駆動ローラおよび従動ローラと、該駆動ローラと従動ローラとの間に配設され底壁に用紙搬送方向と直行する方向に複数個の吸引口を備えた吸引ダクトと、該駆動ローラと従動ローラおよび該吸引ダクトの該複数個の吸引口と対応する位置をそれぞれ捲回して配設されそれぞれ複数個の穴を備えた搬送ベルトとを有する吸引給送手段と、
該用紙積載手段に積載された用紙の前端上部に空気を噴出する複数個の浮揚ノズルと、該吸引給送手段の下面に向けて空気を噴出する複数個の分離ノズルとを備えた送風ダクトと、該送風ダクトの一端に接続した送風ファンとを有する空気吹き付け手段と、を具備する給紙装置において、
該吸引ダクトは、該複数個の該吸引口より用紙搬送方向上流側の底壁下面において該複数個の搬送ベルトと対応する位置にそれぞれ下方に突出して設けられ該複数個の搬送ベルトとそれぞれ接触する複数個のリブを備えており、該複数個のリブの幅が該搬送ベルトの幅より小さく設定されている、
ことを特徴とする給紙装置。
【請求項２】
該複数個のリブは、該吸引ダクトの底壁下面からの突出量が１．５〜３．５ｍｍに設定されている、請求項１記載の給紙装置。
【請求項３】
該用紙積載手段に積載された用紙より用紙搬送方向下流側において、該複数個の搬送ベルトの下方に配設され上端が該搬送ベルトの下面に近接して位置付けられた可撓性を有する弾性材からなる用紙規制部材を備えた、請求項１又は２に記載の給紙装置。
【請求項４】
該用紙規制部材の上端と該複数個の搬送ベルトの下面との隙間は、０．５〜３ｍｍに設定されている、請求項３記載の給紙装置。
【請求項５】
該用紙積載手段に積載された用紙より用紙搬送方向下流側において、該搬送ベルトと該搬送ベルトの間に配設された可撓性を有する弾性材からなる用紙規制部材を備えた、請求項１又は２に記載の給紙装置。
【請求項６】
該用紙規制部材の上端は、該搬送ベルトに吸着され波状に形成される用紙の最下点より上方で最上点より下方に位置付けられる、請求項５記載の給紙装置。
【発明の詳細な説明】
【０００１】
【発明が属する技術分野】
本発明は、複写機、ファクシミリ、プリンタ等の画像形成機に装備され、画像形成部に向けて用紙を給送する給紙装置に関する。
【０００２】
【従来の技術】
従来、画像形成機においては、給紙トレイ上に積載された用紙を最上位のものから１枚づつ順次取り出し、画像形成部に向けて給送する給紙装置を具備している。この給紙装置としては、給紙トレイ上に積載された最上位の用紙に給送ローラを接触させ、その摩擦力によって用紙を送り出す方式のものが広く実用に供されている。このように、給送ローラを用紙に接触させて給送する方式の給紙装置は、給送ローラが摩耗すると用紙との間にスリップが発生して用紙を汚す原因になるとともに、給送ローラの摩耗量が大きくなると用紙の給送が不良となる。従って、給送ローラの耐久性が問題となる。
【０００３】
また、給紙装置においては、給紙トレイ上に積載された最上位の用紙と２枚目以下の用紙とを分離するための用紙分離手段を具備している。この用紙分離手段としては、爪分離方式、フリクションパッド方式、ゲート方式等が一般に用いられているが、いずれも用紙を確実に分離できずに複数枚を給送する所謂用紙の重送を生ずることがあり、また、紙詰まりを発生することもある。
【０００４】
上述した給送ローラおよび用紙分離機構を備えた給紙装置の問題を解消するものとして、空気吸引式の給紙装置が例えば特開平６ー１０７３４７号公報に開示されている。この空気吸引式の給紙装置は、用紙を積載する用紙積載手段と、該用紙積載手段の上方に配設され用紙搬送方向に間隔をおいて互いに平行に配設された駆動ローラおよび従動ローラと、駆動ローラと従動ローラとの間に配設され底壁に吸引口を備えた吸引ダクトと、駆動ローラと従動ローラおよび吸引ダクトの吸引口を捲回して配設され複数個の穴を備えた搬送ベルトとを有する吸引給送手段と、用紙積載手段の下方に配設され用紙積載手段に積載された用紙の前端上部に空気を噴出する複数個の浮揚ノズルと、吸引給送手段の下面に向けて空気を噴出する複数個の分離ノズルとを備えた送風ダクトを有する空気吹き付け手段とを具備している。上記浮揚ノズルから噴出された空気は、用紙載置板に積載された用紙の上部に吹き付けられ、上位数枚の用紙を浮揚させる。このようにして浮揚されれた最上位の用紙は、吸引給送手段の給送ベルトに吸引されるとともに搬送される。一方、上記のように浮揚された最上位以外の用紙は、分離ノズルから噴出される空気が最上位の用紙と２枚目との間に侵入して分離される。この用紙の分離を確実にするためには最上位の用紙と２枚目以下の用紙との間に空気を確実侵入させる必要があり、このため特開平６ー１０７３４７号公報に開示された給紙装置においては、吸引ダクトの底壁下面に搬送ベルトに接触する凸部を設け、搬送ベルトを湾曲せしめて搬送ベルトに吸着される用紙を波状に形成することにより、最上位の用紙と２枚目との間に空気が侵入し易くしている。
【０００５】
【発明が解決しようとする課題】
而して、上記特開平６ー１０７３４７号公報に開示された給紙装置においては、上記凸部が吸引口の側方に設けられている。このため、凸部と吸引口との相互作用によって搬送ベルトに吸着される用紙の波打ちが強度になり、この波打ちが搬送後も残留して、後の搬送において紙詰まり（ジャム）が発生し易くなる傾向がある。
【０００７】
本発明は上記事実に鑑みてなされたものであり、搬送ベルトに吸着される用紙を波状に形成して用紙の分離性を向上することができるとともに、搬送後に用紙の波打ちを解消することができる給紙装置を提供することである。
【０００９】
【課題を解決するための手段】
即ち、本発明によれば、上記技術的課題を達成するために、用紙を積載する用紙積載手段と、
該用紙積載手段の上方に配設され用紙搬送方向に間隔をおいて互いに平行に配設された駆動ローラおよび従動ローラと、該駆動ローラと従動ローラとの間に配設され底壁に用紙搬送方向と直行する方向に複数個の吸引口を備えた吸引ダクトと、該駆動ローラと従動ローラおよび該吸引ダクトの該複数個の吸引口と対応する位置をそれぞれ捲回して配設されそれぞれ複数個の穴を備えた搬送ベルトとを有する吸引給送手段と、
該用紙積載手段に積載された用紙の前端上部に空気を噴出する複数個の浮揚ノズルと、該吸引給送手段の下面に向けて空気を噴出する複数個の分離ノズルとを備えた送風ダクトと、該送風ダクトの一端に接続した送風ファンとを有する空気吹き付け手段と、を具備する給紙装置において、
該吸引ダクトは、該複数個の該吸引口より用紙搬送方向上流側の底壁下面において該複数個の搬送ベルトと対応する位置にそれぞれ下方に突出して設けられ該複数個の搬送ベルトとそれぞれ接触する複数個のリブを備えており、該複数個のリブの幅が該搬送ベルトの幅より小さく設定されている、
ことを特徴とする給紙装置が提供される。
【００１０】
上記複数個のリブの上記吸引ダクトの底壁下面からの突出量は１．５〜３．５ｍｍであることが望ましい。
【００１５】
【発明の実施の態様】
以下、本発明に従って構成された給紙装置の好適な実施の態様について、添付図面を参照して詳細に説明する。
【００１６】
図１には、画像形成機に装備される給紙装置の第１の実施形態の概略構成断面図が示されている。給紙装置は、用紙を積載する用紙積載手段２を具備している。図示の実施形態における用紙積載手段２は、枠体２１と、該枠体２１内に配設されシート状の用紙Ｐを載置する用紙載置板２２と、用紙載置板２２に積載された用紙Ｐの後端を押さえるともに用紙Ｐの高さを検出するための用紙後端押さえ兼用紙高さ検出手段２３を備えている。用紙載置板２２は、図示しない載置板昇降機構により枠体２１に沿って図１において上下方向に移動可能に構成されている。
【００１７】
上記用紙後端押さえ兼用紙高さ検出手段２３は、枠体２１の上方に配設され取付け板２３１に固定されたブラケット２３２と、該ブラケット２３２に図１において上下方向に摺動可能に装着された押圧棒２３３と、該押圧棒２３３を図１において下方に移動すべく付勢するコイルばね２３４と、ブラケット２３２に取り付けられた発行素子と受光素子とからなるフォトセンサ２３５と、押圧棒２３３に取り付けられ押圧棒２３３の移動によってフォトセンサ２３５の発行素子と受光素子の間を通過するように配設された遮光板２３６とからなっている。このように構成された用紙後端押さえ兼用紙高さ検出手段２３の押圧棒２３３は、その下端が用紙載置板２２に積載された用紙Ｐの最上位の用紙に接触するとともに、コイルばね２３４のバネ力によって所定の押圧力で用紙を押圧する。そして、この押圧棒２３３は、その下端が用紙載置板２２に積載された用紙Ｐの上限位置Ｐ１で接触する実線で示す第１の位置と、用紙Ｐの下限位置Ｐ０で接触する２点鎖線で示す第２の位置との間で移動する。用紙後端押さえ兼用紙高さ検出手段２３の遮光板２３６は、押圧棒２３３が実線で示す第１の位置に位置付けられているときにはフォトセンサ２３５の上側に位置し、押圧棒２３３が２点鎖線で示す第２の位置に位置付けられるとフォトセンサ２３５の発行素子と受光素子の間に位置して光を遮る。フォトセンサ２３５は押圧棒２３３が実線で示す第１の位置から２点鎖線で示す第２の位置に達するまでの間はＯＮ信号を、押圧棒２３３が２点鎖線で示す第２の位置に達するとＯＦＦ信号を図示しない制御手段に送るようになっている。そして、図示しない制御手段は、フォトセンサ２３５からのＯＦＦ信号に基づいて図示しない載置板昇降機構を作動して用紙載置板２１を上昇せしめる。このようにして用紙載置板２１が上昇せしめられ、用紙載置板２２に積載された用紙Ｐの高さ位置がＰ１まで達すると、押圧棒２３３が実線で示す第１の位置に達し遮光板２３６が実線で示すようにフォトセンサ２３５の上側に位置付けられる。この結果、フォトセンサ２３５がＯＮ信号を出力するため、制御手段はこのＯＮ信号に基づいて載置板昇降機構の作動を停止する。
【００１８】
上記用紙積載手段２における矢印３０で示す用紙搬送方向前部の上方には、吸引給送手段３が配設されている。吸引給送手段３について、図１乃至図３を参照して説明する。図示の実施形態における吸引給送手段３は、図１において矢印３０で示す用紙搬送方向に間隔をおいて互いに平行に配設された駆動ローラ３１および従動ローラ３２と、該駆動ローラ３１と従動ローラ３２との間に配設された吸引ダクト３３と、駆動ローラ３１と従動ローラ３２および吸引ダクト３３を捲回して配設された搬送ベルト３４とを具備している。
【００１９】
上記駆動ローラ３１は、前後方向（図２において上下方向）に所定の間隔をおいて配設された支持板３５、３６に回転自在に支持された回転軸３１１と、該回転軸３１１に装着された４個のローラ３１２とからなっており、回転軸３１１が図示しない回転駆動機構によって図１において矢印３１０で示す方向に回転駆動せしめられるように構成されている。上記従動ローラ３２は、上記支持板３５、３６に回転自在に支持された回転軸３２１と、該回転軸３２１に装着された４個のローラ３２２とからなっている。なお、駆動ローラ３１の４個のローラ３１２と従動ローラ３２の４個のローラ３２２は、それぞれ対向した位置に配設されている。
【００２０】
上記吸引ダクト３３は、上壁３３１と底壁３３２と左側壁３３３と右側壁３３４と前端壁３３５と後端壁３３６とからなり、図示の実施形態においては合成樹脂によって一体に形成されている。吸引ダクト３３を構成す底壁３３２には、上記駆動ローラ３１および従動ローラ３２の各ローラ３１２およびローラ３２２と対応する位置、即ち矢印３０で示す用紙搬送方向と直交する方向に４個の吸引口３３２ａが形成されている。この４個の吸引口３３２ａは、図示の実施形態においては図１において矢印３０で示す用紙搬送方向前部に設けられれいる。また、吸引ダクト３３を構成す底壁３３２の下面には、４個の吸引口３３２ａより用紙搬送方向上流側（図１において左側）にそれぞれ下方に突出するリブ３３２ｂが設けられている。このリブ３３２ｂの底壁３３２の下面からの突出量Ｈは、図示の実施形態においは１．５〜３．５ｍｍに設定されている。上記前端壁３３５には接続筒３３７が一体に形成されており、この接続筒３３７に電動モータ３７によって駆動される吸引ファン３８が装着されている。また、後端壁３３６には、空気吸入口３３６ａが形成されている。
【００２１】
上記搬送ベルト３４は、厚さが０．５〜１．５ｍｍ程度の合成ゴムによって無端状に形成されている。この搬送ベルト３４には、複数個の穴３４ａが形成されている。図示の実施形態においては、穴３４ａは直径が５ｍｍ、穴ピッチ１０ｍｍで４列に、そして穴３４ａと穴３４ａの間隔は１３．５ｍｍに形成されている。このように構成された搬送ベルト３４は、上記４個の吸引口３３２ａに対応する位置にそれぞれ配設され上記リブ３３２ｂと接触するようになっている。
【００２２】
上述のように構成された吸引給送手段３の矢印３０で示す用紙搬送方向前端部下方には、空気吹き付け手段４が配設されている。図４に示すように図示の実施形態における空気吹き付け手段４は、用紙搬送方向に直交する方向（図１において紙面に垂直な方向）に延設される送風ダクト５と、該送風ダクト５の一端に接続ダクト８を介して接続された送風ファン６、および該送風ファン６を回転駆動する電動モータ７を具備している。
【００２３】
図示の実施形態における送風ダクト５は、適宜の合成樹脂によって直方体状に形成されており、適宜の合成樹脂によって直方体状に形成されており、側壁５１、５２と、上壁５３と、底壁５４とからなっている。送風ダクト５を形成する一側壁５１には、上記用紙積載手段２の用紙載置板２２に積載された用紙Ｐの上部に空気を噴出する複数個の浮揚ノズル５１１が設けれてる。この複数個の浮揚ノズル５１１は、上下方向に長く形成され、側壁５１の長手方向に所定の間隔をおいて設けられている。また、送風ダクト５を形成する上記側壁５１と上壁５３との接続部には、上記吸引給送手段３の下面に向けて空気を噴出する複数個の分離ノズル５５１が形成されている。この分離ノズル５５１は、側壁５１の長手方向にに長く形成されている。なお、送風ダクト５の他端には、別体で形成された端壁５６が装着されている。
【００２４】
図１に戻って説明すると、上記吸引給送手段３の用紙搬送方向下流側には、一対の案内板１０および搬送ローラ対１１が配設されている。
【００２５】
図示の実施形態における給紙装置は以上のように構成されており、以下その作用について説明する。
用紙積載手段２の用紙載置板２２に複数枚の用紙Ｐがセットされ、枠体２１の所定位置に位置付けられると、これを検知して図示しない載置板昇降機構が作動せしめられて用紙載置板２１を上昇せしめる。そして、用紙載置板２２に積載された用紙Ｐの高さ位置がＰ１まで達すると、上述したようにフォトセンサ２３５がＯＮ信号を出力し、図１に示す状態で載置板昇降機構の作動が停止される。
【００２６】
図１に示す状態で給紙信号が発せられると、図示しない制御手段は空気吹き付け手段４の電動モータ７および吸引給送手段３の電動モータ３７を駆動せしめる。空気吹き付け手段４の電動モータ７が駆動すると、送風ファン６が作動して送風ダクト５に送風され、浮揚ノズル５１１および分離ノズル５５１から空気が噴出される。浮揚ノズル５１１から噴出された空気は、用紙載置板２２に積載された用紙Ｐの上部に吹き付けられ、上位数枚の用紙が浮揚される。一方、上記吸引給送手段３の電動モータ３７が駆動すると、吸引給送手段３の吸引ファン３８が作動して吸引ダクト３３、各吸引口３３２ａおよび各搬送ベルト３４に設けられた穴３４ａを通して空気を吸引する。この結果、各搬送ベルト３４の下側が真空状態になるので、上述したように浮揚された最上位の用紙が各搬送ベルト３４の下面に吸い付けられる。このとき、各搬送ベルト３４は図３に示すように吸引ダクト３３を構成する底壁３３２の下面に突出して設けられた各リブ３３２ｂによってそれぞれ湾曲せしめられるので、各搬送ベルト３４の下面に吸い付けられた最上位の用紙は波状に形成される。従って、各搬送ベルト３４の下面に吸着された最上位の用紙と２枚目の用紙との間には隙間が形成されるので、この隙間に分離ノズル５５１から噴出された空気が侵入して、最上位の用紙と２枚目以下の用紙が確実に分離される。そして、吸引給送手段３の駆動ローラ３１が矢印３１０で示す方向に回転駆動され各搬送ベルト３４が矢印３０で示す方向に作動せしめられることにより、各搬送ベルト３４に吸着された最上位の用紙は矢印３０で示す用紙搬送方向に給送される。このようにして、吸引給送手段３によって給送された用紙は、搬送ローラ対１１を介して画像形成部に搬送される。
【００２７】
ここで、吸引ダクト３３を構成す下壁３３２の下面に突出して設けられたリブ３３２ｂの突出量Ｈの変化による用紙分離性能についての実験結果について説明する。なお、吸引給送手段３としては、図１乃至図３に示すように搬送ベルト３４を４個用いたものを使用した。また、リブ３３２ｂは、用紙搬送方向長さが３０ｍｍ、幅が５ｍｍのもので、突出量Ｈを変えて実験した。なお、用紙は、通常コピー用紙として用いられている６０ｇ／ｍ２のＡ４サイズと、厚紙といわれる２００ｇ／ｍ２のＡ４サイズを用いた。実験結果は表１に示す通りであり、○印は分離良好、×印は分離不良で複数枚を給送する所謂用紙の重送が生じたものである。
【００２８】
【表１】
0003706277.tif 000002
【００２９】
表１に示すように、リブ３３２ｂの突出量Ｈが１．５〜３．５ｍｍにおいては、６０ｇ／ｍ２の用紙および２００ｇ／ｍ２の用紙とも分離良好で、所謂用紙の重送は発生しなかった。リブ３３２ｂの突出量Ｈが１ｍｍ以下になると、６０ｇ／ｍ２の用紙および２００ｇ／ｍ２の用紙とも用紙の重送が発生した。また、リブ３３２ｂの突出量Ｈが４ｍｍ以上になると、６０ｇ／ｍ２の用紙では用紙の重送および無給紙は発生しなかったが、２００ｇ／ｍ２の用紙では無給紙が発生した。従って、リブ３３２ｂの突出量Ｈは、１．５〜３．５ｍｍに設定するのは望ましい。なお、リブ３３２ｂは吸引口３３２ａより用紙搬送方向上流側に設けられているので、図３に示すように搬送ベルト３４はリブ３３２ｂを頂点として緩やかに湾曲せしめられる。従って、搬送ベルト３４に吸着される用紙は、リブが吸引口の側方に設けられた従来のもののように波打ちが強度にならず、緩やかな波打ちとなる。この結果、用紙に形成される緩やかな波打ちは搬送後に消失するため、その後の搬送において紙詰まり（ジャム）の発生が防止される。
【００３０】
次に、本発明に従って構成された給紙装置の第２の実施形態について、図５および図６を参照して説明する。なお、図５および図６に示す実施形態においては、上記図１乃至図４に示す実施形態の各部材と同一部材には同一符号を付して、その説明は省略する。
図５および図６に示す実施形態は、用紙積載手段２の用紙載置板２２に積載された用紙Ｐより用紙搬送方向上流側（図５において右側）において、吸引給送手段３を構成する４個の搬送ベルト３４の下面に近接して位置付けられた用紙規制部材１２を配設したものである。この用紙規制部材１２は、例えばポリエチレンテレフタレート樹脂（ＰＥＴ）フィルム等の可撓性を有する弾性材からなっており、その下端部が用紙積載手段２の枠体２１を構成する図５において右側の側板２１１に例えば両面接着テープ等の固着手段によって取り付けられている。用紙規制部材１２の上端と搬送ベルト３４の下面との隙間Ｓは、０．５〜３ｍｍに設定されていることが望ましい。この隙間Ｓは、小さすぎると無給紙が発生する虞があり、大きすぎると複数枚を給送する所謂用紙の重送が発生する傾向がある。
【００３１】
ここで、用紙規制部材１２の上端と搬送ベルト３４の下面との隙間Ｓの変化による給紙性能についての実験結果について説明する。なお、用紙規制部材１２は、厚さ０．０５〜０．２５ｍｍのポリエチレンテレフタレート樹脂（ＰＥＴ）フィルムによって幅Ｗを２０ｍｍに形成したものを用いた。また、用紙は、通常コピー用紙として用いられている６０ｇ／ｍ２のＡ４サイズと、厚紙といわれる２００ｇ／ｍ２のＡ４サイズを用いた。実験結果は表２に示す通りであり、○印は給紙良好、×印は無給紙または分離不良で複数枚を給送する所謂用紙の重送が生じたものである。
【００３２】
【表２】
0003706277.tif 000003
【００３３】
表２に示すように、用紙規制部材１２の上端と搬送ベルト３４の下面との隙間Ｓが０．５〜３ｍｍにおいては、６０ｇ／ｍ２の用紙および２００ｇ／ｍ２の用紙とも給紙良好で、無給紙および所謂用紙の重送は発生しなかった。上記隙間Ｓが０．５ｍｍ以下になると、６０ｇ／ｍ２の用紙で無給紙が発生した。また、上記隙間Ｓが３．５ｍｍ以上になると、６０ｇ／ｍ２の用紙および２００ｇ／ｍ２の用紙とも重送が発生した。従って、用紙規制部材１２の上端と搬送ベルト３４の下面との隙間Ｓは、０．５〜３ｍｍに設定するのは望ましい。
なお、図５および図６に示す実施形態においては、吸引ダクト３３を構成す底壁３３２の下面にリブ３３２ｂを設けた例を示したが、この発明においてはリブ３３２ｂは必ずしも必要ではない。
【００３４】
次に、本発明に従って構成された給紙装置の第３の実施形態について、図７を参照して説明する。なお、図７に示す実施形態においては、上記図５および図６に示す実施形態の各部材と同一部材には同一符号を付して、その説明は省略する。
図７に示す実施形態は、上記図５および図６に示す実施形態における用紙規制部材１２を吸引給送手段３を構成する４個の搬送ベルト３４の間にそれぞれ配設したものである。この用紙規制部材１２は、例えば厚さ０．０５〜０．２５ｍｍｍｍのポリエチレンテレフタレート樹脂（ＰＥＴ）フィルム等の可撓性を有する弾性材からなり、幅Ｗが２０ｍｍに形成されている。このように構成された用紙規制部材１２は、その下端部が上記図５および図６に示す実施形態と同様に用紙積載手段２の枠体２１を構成する側板２１１に例えば両面接着テープ等の固着手段によって取り付けられている。なお用紙規制部材１２の上端は、搬送ベルト３４の下面と同一か搬送ベルト３４の下面より上方に突出して設けられている。即ち、用紙規制部材１２の上端は、図７に示すように搬送ベルト３４に吸着され波状に形成される最上位の用紙の最下点より上方で最上点より下方に設定されている。従って、用紙規制部材１２は、搬送ベルト３４に吸着された最上位の用紙の搬送は許容するが、２枚目以下の用紙の搬送方向への移動を阻止するので、複数枚を給送する所謂用紙の重送を確実に防止できる。
【００３５】
【発明の効果】
本発明による給紙装置は以上のように構成されているので、以下の作用効果を奏する。
【００３６】
即ち、本発明によれば、吸引給送手段を構成する吸引ダクトには、底壁に設けられた複数個の吸引口より用紙搬送方向上流側の底壁下面に複数個の搬送ベルトとそれぞれ接触する複数個のリブが設けられているので、複数個の搬送ベルトはそれぞれ複数個のリブによって湾曲せしめられるため、複数個の搬送ベルトの下面に吸い付けられる最上位の用紙は波状に形成される。従って、複数個の搬送ベルトの下面に吸着された最上位の用紙と２枚目の用紙との間には隙間が形成されるので、この隙間に分離ノズルから噴出された空気が侵入して、最上位の用紙と２枚目以下の用紙が確実に分離される。
なお、上記複数個のリブは複数個の吸引口のそれぞれ用紙搬送方向上流側に設けられているので、複数個の搬送ベルトは複数個のリブを頂点として緩やかに湾曲せしめられる。従って、搬送ベルトに吸着される用紙は、リブが吸引口の側方に設けられた従来のもののように波打ちが強度にならず、緩やかな波打ちとなる。この結果、用紙に形成される緩やかな波打ちは搬送後に消失するため、その後の搬送において紙詰まり（ジャム）の発生が防止される。
【図面の簡単な説明】
【図１】本発明に従って構成された給紙装置の第１の実施形態を示す概略構成断面図。
【図２】図１に示す給紙装置を構成する吸引給送手段の平面図。
【図３】図２に示す吸引給送手段のＡーＡ線断面図。
【図４】図１に示す給紙装置を構成する空気吹き付け手段の一実施形態を示す斜視図。
【図５】本発明に従って構成された給紙装置の第２の実施形態を示す概略構成断面図。
【図６】図５に示す給紙装置にＢ−Ｂ線断面図。
【図７】本発明に従って構成された給紙装置の第３の実施形態を示す要部断面図。
【符号の説明】
２：用紙積載手段
２１：枠体
２２：用紙載置板
２３：用紙後端押さえ兼用紙高さ検出手段
２３１：取付け板
２３２：ブラケット
２３３：押圧棒
２３４：コイルばね
２３５：フォトセンサ
２３６：遮光板
３：吸引給送手段
３１：駆動ローラ
３２：従動ローラ
３３：吸引ダクト
３３１：吸引ダクトの上壁
３３２：吸引ダクトの底壁
３３２ａ：吸引口
３３２ｂ：リブ
３３３：吸引ダクトの左側壁
３３３：吸引ダクトの右側壁
３４：搬送ベルト３４
３５：支持板
３６：支持板
３７：電動モータ
３８：吸引ファン
４：空気吹き付け手段
５：送風ダクト
５１、５２：送風ダクトの側壁
５１１：浮揚ノズル
５３：送風ダクトの上壁
５４：送風ダクトの底壁
５５：送風ダクトの傾斜壁
５５１：分離ノズル
５６：送風ダクトの端壁
６：送風ファン
７：電動モータ
８：接続ダクト
１０：案内板
１１：搬送ローラ
１２：用紙規制部材
【図１】
0003706277.tif 000004
【図２】
0003706277.tif 000005
【図３】
0003706277.tif 000006
【図４】
0003706277.tif 000007
【図５】
0003706277.tif 000008
【図６】
0003706277.tif 000009
【図７】
0003706277.tif 000010